(57)【特許請求の範囲】
【請求項１】
各々が互いに並列に接続された複数のＬＥＤチップからなる複数のＬＥＤグループを含
み、かつ、これらの複数のＬＥＤグループが互いに直列に接続された、ＬＥＤ集合体と、  前記ＬＥＤ集合体を支持し、かつ前記ＬＥＤ集合体に電力供給するための電流経路を構
成する支持体と、を備え、
前記支持体は、前記電流経路を構成する複数のリードと、前記複数のリードを保持し且つ前記ＬＥＤ集合体を囲むリフレクタを有する保持樹脂体と、を有し、
前記複数のリードは、前記リフレクタ内において少なくとも一部が露出した第１リードと、前記リフレクタ内において少なくとも一部が露出し且つ前記第１リードと離間した第２リードと、前記リフレクタ内において少なくとも一部が露出し且つ前記第１リードとは反対側に前記第２リードと離間した第３リードとを含んでおり、
上記複数のＬＥＤグループは、前記第１リード上に配置された第１ＬＥＤチップおよび第２ＬＥＤチップを含む第１ＬＥＤグループと、前記第２リード上に配置された第３ＬＥＤチップおよび第４ＬＥＤチップを含む第２ＬＥＤグループと、を含み、
前記第１ＬＥＤチップと前記第２リードとを接続する前記リフレクタ内に形成された第１ワイヤと、
前記第２ＬＥＤチップと前記第２リードとを接続する前記リフレクタ内に形成された第２ワイヤと、
前記第３ＬＥＤチップと前記第３リードとを接続する前記リフレクタ内に形成された第３ワイヤと、
前記第４ＬＥＤチップと前記第３リードとを接続する前記リフレクタ内に形成された第４ワイヤと、
を備えたＬＥＤモジュールであって、
前記第１ワイヤと前記第２ワイヤとは、前記第２リードに向かうに従い互いに離間しており、
前記第２リードは、前記リフレクタ内において少なくとも一部が露出し且つ厚さ方向一方側を向く平坦な表面を有しており、
前記第３ＬＥＤチップおよび前記第４ＬＥＤチップは、前記第２リードの前記表面上に配置されており、
前記第１ワイヤおよび前記第２ワイヤは、前記第２リードの前記表面において前記第３ＬＥＤチップおよび前記第４ＬＥＤチップを挟んで離間した位置にボンディングされている、ＬＥＤモジュール。
【請求項２】
前記第２リードの裏面は、前記保持樹脂体から露出している、請求項１に記載のＬＥＤモジュール。
【請求項３】
前記第２リードは、前記表面側部分が延出することにより構成された延出部を有する、請求項２に記載のＬＥＤモジュール。
【請求項４】
前記第２リードは、面内方向において前記保持樹脂体の外部に向かって延びており、かつその先端が前記保持樹脂体から露出するブリッジ部を有する、請求項３に記載のＬＥＤモジュール。
【請求項５】
前記ブリッジ部の前記先端は、前記第２リードの前記表面および前記裏面に繋がっている、請求項４に記載のＬＥＤモジュール。
【請求項６】
前記ブリッジ部の根本部分は、２つの前記延出部によって挟まれている、請求項５に記載のＬＥＤモジュール。
【請求項７】
前記第２リードは、各々の先端が前記保持樹脂体の反対側から露出する２つの前記ブリッジ部を有する、請求項５または６に記載のＬＥＤモジュール。
【請求項８】
前記第１ＬＥＤチップおよび前記第２ＬＥＤチップと、前記第３ＬＥＤチップおよび前記第４ＬＥＤチップとは、このＬＥＤモジュールの中心を挟んで配置されている、請求項１ないし７のいずれかに記載のＬＥＤモジュール。
【請求項９】
前記第１ＬＥＤチップおよび前記第２ＬＥＤチップは、前記第１リードと前記第２リードとが離間する方向に延びるこのＬＥＤモジュールの中心線を挟んで配置されている、請求項１ないし８のいずれかに記載のＬＥＤモジュール。
【請求項１０】
前記第１リードと導通する第１外部端子と、
前記第３リードと導通する第２外部端子と、を備える、請求項１ないし９のいずれかに記載のＬＥＤモジュール。
【請求項１１】
前記第１リードと前記第１外部端子とは、直接繋がっている、請求項１０に記載のＬＥＤモジュール。
【請求項１２】
前記第１リードには、前記第１外部端子に隣接し、かつ面内方向に凹む切り欠き部が形成されている、請求項１１に記載のＬＥＤモジュール。
【請求項１３】
互いに離間配置された２つの前記第１外部端子を有している、請求項１１または１２に記載のＬＥＤモジュール。
【請求項１４】
前記第３リードと前記第２外部端子とは、直接繋がっている、請求項１０ないし１３のいずれかに記載のＬＥＤモジュール。
【請求項１５】
前記第３リードには、前記第２外部端子に隣接し、かつ面内方向に凹む切り欠き部が形成されている、請求項１４に記載のＬＥＤモジュール。
【請求項１６】
互いに離間配置された２つの前記第２外部端子を有している、請求項１４または１５に記載のＬＥＤモジュール。
【請求項１７】
前記各ＬＥＤチップは、前記リードに導通接合される底面電極と、当該底面電極と反対側に位置する上面電極と、を有する１ワイヤタイプである、請求項１ないし１６のいずれかに記載のＬＥＤモジュール。
【請求項１８】
前記第１ＬＥＤチップおよび前記第２ＬＥＤチップは、前記底面電極が前記第１リードに導通接合されている、請求項１７に記載のＬＥＤモジュール。
【請求項１９】
前記第３ＬＥＤチップおよび前記第４ＬＥＤチップは、前記底面電極が前記第２リードに導通接合されている、請求項１７または１８に記載のＬＥＤモジュール。
【請求項２０】
前記第３ＬＥＤチップおよび前記第４ＬＥＤチップは、前記第２リードにおいて前記第３リード寄りに配置されている、請求項１９に記載のＬＥＤモジュール。
【請求項２１】
前記第１ＬＥＤチップ、前記第２ＬＥＤチップ、前記第３ＬＥＤチップおよび前記第４ＬＥＤチップを覆い、かつ前記第１ＬＥＤチップ、前記第２ＬＥＤチップ、前記第３ＬＥＤチップおよび前記第４ＬＥＤチップからの光を透過させる透光樹脂体を備える、請求項１ないし２０のいずれかに記載のＬＥＤモジュール。
【発明の詳細な説明】
【技術分野】
【０００１】
本発明は、ＬＥＤモジュールに関する。
【背景技術】
【０００２】
複数のＬＥＤモジュールを用いて車両のブレーキランプを構成する発明が提案されている（たとえば、特許文献１）。この文献に示された構成においては、透光カバーの内側において、ベースプレートに複数のＬＥＤモジュールが搭載されたＬＥＤユニットが配置されている。各ＬＥＤモジュールは、所定の波長の光を発するＬＥＤチップを具備している。複数のＬＥＤモジュールが２次元的に配置されることにより、ブレーキランプが面状に発光しているような外観が実現される。
【０００３】
しかしながら、上記ＬＥＤモジュールは、様々な原因によって不点灯となるおそれがある。上記原因としては、たとえば、ＬＥＤチップの剥離、ボンディングワイヤの破断、上記ＬＥＤチップを迂回する電流経路を生じるショート現象、などが挙げられる。上記複数のＬＥＤモジュールのうち１つでも不点灯の状態となると、上記ブレーキランプの一部に暗点が生じることとなる。このようなブレーキランプの修理においては、不点灯となった上記ＬＥＤモジュールのみを交換することが困難となるため、上記複数のＬＥＤモジュールを具備する上記ＬＥＤユニットごと交換することが強いられてしまう。
【先行技術文献】
【特許文献】
【０００４】
【特許文献１】特開２００９−５４５６９号公報
【発明の概要】
【発明が解決しようとする課題】
【０００５】
本発明は、上記した事情のもとで考え出されたものであって、完全な不点灯となることを抑制可能なＬＥＤモジュールを提供することをその課題とする。
【課題を解決するための手段】
【０００６】
本発明によって提供されＬＥＤモジュールは、各々が互いに並列に接続された複数のＬＥＤチップからなる複数のＬＥＤグループを含み、かつ、これらの複数のＬＥＤグループが互いに直列に接続された、ＬＥＤ集合体と、上記ＬＥＤ集合体を支持し、かつ上記ＬＥＤ集合体に電力供給するための電流経路を構成する支持体と、を備えることを特徴としている。
【０００７】
本発明の好ましい実施の形態においては、上記支持体は、上記電流経路を構成する複数のリードを有する。
【０００８】
本発明の好ましい実施の形態においては、上記支持体は、上記複数のリードを保持する保持樹脂体を有する。
【０００９】
本発明の好ましい実施の形態においては、上記複数のリードは、互いに絶縁されており、かつ外部接続されるための第１および第２外部端子と、上記第１外部端子に導通し、かつ上記第２外部端子に対して絶縁された第１リードと、上記第２外部端子に導通し、かつ上記第１外部端子に対して絶縁された第２リードと、上記第１および第２外部端子のいずれに対しても絶縁された中間リードと、を含んでおり、上記複数のＬＥＤグループは、上記第１リードおよび上記中間リードに導通する第１ＬＥＤグループと、上記第２リードおよび上記中間リード導通する第２ＬＥＤグループと、を含んでいる。
【００１０】
本発明の好ましい実施の形態においては、上記中間リードは、上記ＬＥＤ集合体側に位置する表面および上記ＬＥＤ集合体とは反対側に位置する裏面を有しており、上記裏面は、上記保持樹脂体から露出している。
【００１１】
本発明の好ましい実施の形態においては、上記中間リードは、厚さ方向における上記表面側部分が延出することにより構成された延出部を有する。
【００１２】
本発明の好ましい実施の形態においては、上記中間リードは、面内方向において上記保持樹脂体の外部に向かって延びており、かつその先端が上記保持樹脂体から露出するブリッジ部を有する。
【００１３】
本発明の好ましい実施の形態においては、上記ブリッジ部の上記先端は、上記中間リードの上記表面および上記裏面に繋がっている。
【００１４】
本発明の好ましい実施の形態においては、上記ブリッジ部の根本部分は、２つの上記延出部によって挟まれている。
【００１５】
本発明の好ましい実施の形態においては、上記中間リードは、各々先端が上記保持樹脂体の反対側から露出する２つの上記ブリッジ部を有する。
【００１６】
本発明の好ましい実施の形態においては、２つの上記ＬＥＤグループは、このＬＥＤモジュールの中心を挟んで配置されている。
【００１７】
本発明の好ましい実施の形態においては、２つの上記ＬＥＤグループそれぞれに含まれる２つの上記ＬＥＤチップは、上記２つのＬＥＤグループが離間する方向に延びるこのＬＥＤモジュールの中心線を挟んで配置されている。
【００１８】
本発明の好ましい実施の形態においては、上記第１リードと上記第１外部端子とは、直接繋がっている。
【００１９】
本発明の好ましい実施の形態においては、上記第１リードには、上記第１外部端子に隣接し、かつ面内方向に凹む切り欠き部が形成されている。
【００２０】
本発明の好ましい実施の形態においては、互いに離間配置された２つの上記第１外部端子を有している。
【００２１】
本発明の好ましい実施の形態においては、上記第２リードと上記第２外部端子とは、直接繋がっている。
【００２２】
本発明の好ましい実施の形態においては、上記第２リードには、上記第２外部端子に隣接し、かつ面内方向に凹む切り欠き部が形成されている。
【００２３】
本発明の好ましい実施の形態においては、互いに離間配置された２つの上記第２外部端子を有している。
【００２４】
本発明の好ましい実施の形態においては、上記各ＬＥＤチップは、上記リードに導通接合される底面電極と、この底面電極の反対側に位置し、ワイヤがボンディングされる上面電極と、を有する１ワイヤタイプである。
【００２５】
本発明の好ましい実施の形態においては、上記第１ＬＥＤグループの上記複数のＬＥＤチップは、上記底面電極が上記第１リードに導通接合され、上記上面電極がワイヤを介して上記中間リードに接続されている。
【００２６】
本発明の好ましい実施の形態においては、上記第１ＬＥＤグループは、上記第１リードにおいて上記中間リード寄りに配置されている。
【００２７】
本発明の好ましい実施の形態においては、上記第２ＬＥＤグループの上記複数のＬＥＤチップは、上記底面電極が上記中間リードに導通接合され、上記上面電極がワイヤを介して上記第２リードに接続されている。
【００２８】
本発明の好ましい実施の形態においては、上記第２ＬＥＤグループは、上記中間リードにおいて上記第２リード寄りに配置されている。
【００２９】
本発明の好ましい実施の形態においては、上記各ＬＥＤチップは、上記リードに導通接合される２つの底面電極を有するフリップチップタイプである。
【００３０】
本発明の好ましい実施の形態においては、上記第１ＬＥＤグループの上記複数のＬＥＤチップは、一方の上記底面電極が上記第１リードに導通接合され、他方の上記底面電極が上記中間リードに導通接合されている。
【００３１】
本発明の好ましい実施の形態においては、上記第２ＬＥＤグループの上記複数のＬＥＤチップは、一方の上記底面電極が上記中間リードに導通接合され、他方の上記底面電極が上記第２リードに導通接合されている。
【００３２】
本発明の好ましい実施の形態においては、上記各ＬＥＤチップは、各々にワイヤがボンディングされる２つの上面電極を有する２ワイヤタイプである。
【００３３】
本発明の好ましい実施の形態においては、上記第１ＬＥＤグループの上記複数のＬＥＤチップは、上記第１リードに接合され、一方の上記上面電極がワイヤを介して上記第１リードに接続され、他方の上記上面電極がワイヤを介して上記中間リードに接続されている。
【００３４】
本発明の好ましい実施の形態においては、上記第２ＬＥＤグループの上記複数のＬＥＤチップは、上記中間リードに接合され、一方の上記上面電極がワイヤを介して上記中間リードに接続され、他方の上記上面電極がワイヤを介して上記第２リードに接続されている。
【００３５】
本発明の好ましい実施の形態においては、上記保持樹脂体は、上記ＬＥＤ集合体を囲むリフレクタを有する。
【００３６】
本発明の好ましい実施の形態においては、上記支持体は、表面および裏面を有する絶縁基材と、この絶縁基材の上記表面に形成された配線パターンと、からなり、上記配線パターンは、互いに絶縁されており、かつ外部接続されるための第１および第２外部端子と、上記第１外部端子に導通し、かつ上記第２外部端子に対して絶縁された第１ランドと、上記第２外部端子に導通し、かつ上記第１外部端子に対して絶縁された第２ランドと、上記第１および第２外部端子のいずれに対しても絶縁された中間ランドと、を含んでおり、上記複数のＬＥＤグループは、上記第１ランドおよび上記中間ランドに導通する第１ＬＥＤグループと、上記ランドリードおよび上記中間ランド導通する第２ＬＥＤグループと、を含んでいる。
【００３７】
本発明の好ましい実施の形態においては、上記ＬＥＤ集合体を覆い、かつ上記ＬＥＤ集合体からの光を透過させる透光樹脂体を備える。
【００３８】
本発明の好ましい実施の形態においては、複数の上記ＬＥＤ集合体を備える。
【００３９】
本発明の好ましい実施の形態においては、３つの上記ＬＥＤ集合体を備える。
【００４０】
本発明の好ましい実施の形態においては、上記３つのＬＥＤ集合体は、赤色光を発する上記ＬＥＤチップからなる上記ＬＥＤ集合体と、緑色光を発する上記ＬＥＤチップからなる上記ＬＥＤ集合体と、青色光を発する上記ＬＥＤチップからなる上記ＬＥＤ集合体と、である。
【００４１】
本発明のその他の特徴および利点は、添付図面を参照して以下に行う詳細な説明によって、より明らかとなろう。
【図面の簡単な説明】
【００４２】
【図１】本発明の第１実施形態に基づくＬＥＤモジュールを示す要部平面図である。
【図２】図１のＩＩ−ＩＩ線に沿う断面図である。
【図３】図１のＩＩＩ−ＩＩＩ線に沿う要部断面図である。
【図４】図１のＩＶ−ＩＶ線に沿う要部断面図である。
【図５】図１のＶ−Ｖ線に沿う要部断面図である。
【図６】図１のＬＥＤモジュールを示す要部拡大断面図である。
【図７】図１のＬＥＤモジュールの回路図である。
【図８】本発明の第１実施形態に基づくＬＥＤモジュールの変形例を示す断面図である。
【図９】図８のＬＥＤモジュールを示す要部拡大断面図である。
【図１０】本発明の第１実施形態に基づくＬＥＤモジュールの他の変形例を示す断面図である。
【図１１】本発明の第２実施形態に基づくＬＥＤモジュールを示す要部平面図である。
【図１２】図１１のＬＥＤモジュールを示す正面図である。
【図１３】図１１のＸＩＩＩ−ＸＩＩＩ線に沿う断面図である。
【図１４】図１１のＸＩＶ−ＸＩＶ線に沿う断面図である。
【図１５】図１１のＬＥＤモジュールを示す要部拡大断面図である。
【図１６】図１１のＬＥＤモジュールの回路図である。
【発明を実施するための形態】
【００４３】
以下、本発明の好ましい実施の形態につき、図面を参照して具体的に説明する。
【００４４】
図１〜図７は、本発明の第１実施形態に基づくＬＥＤモジュールを示している。本実施形態のＬＥＤモジュール１０１は、支持体２００、ＬＥＤ集合体３００、および透光樹脂体４００を備えている。なお、図１においては、理解の便宜上、透光樹脂体４００を省略している。ＬＥＤモジュール１０１は、たとえば車両のブレーキランプや遊技機の装飾照明などの光源として用いられる。また、ＬＥＤモジュール１０１は、いわゆるトップビュータイプとして構成されている。ＬＥＤモジュール１０１は、平面視寸法がたとえば５ｍｍ各程度、厚さが１ｍｍ程度である。
【００４５】
支持体２００は、ＬＥＤ集合体３００を支持し、かつＬＥＤ集合体３００に電力供給するための電流経路を構成するものである。本実施形態においては、支持体２００は、複数の第１リード２１０、第２リード２２０および中間リード２３０と保持樹脂体２８０とからなる。また、支持体２００は、２つの第１外部端子２４１および２つの第２外部端子２４２を有する。
【００４６】
第１リード２１０、第２リード２２０および中間リード２３０は、ＬＥＤ集合体３００を直接支持し、かつＬＥＤ集合体３００に電力供給するための電流経路を構成するものであり、本発明で言う複数のリードに相当する。第１リード２１０、第２リード２２０および中間リード２３０は、典型的には、ＣｕまたはＣｕ合金からなる母材と、この母材上に積層されたＮｉメッキ層およびＡｕ−Ｐｄメッキ層とからなる。あるいは、Ａｕ−Ｐｄメッキ層に代えてＡｇメッキ層を採用してもよい。第１リード２１０、第２リード２２０および中間リード２３０の厚さは、たとえば０．２ｍｍ程度である。
【００４７】
第１リード２１０は、２つの第１外部端子２４１と導通しており、本実施形態においては、２つの第１外部端子２４１と一体的に形成されている。２つの第１外部端子２４１は、たとえばアノード端子として用いられる。なお、第１リード２１０と第１外部端子２４１は、互いに導通する構成であればよく、一体成型されていなくてもよい。
【００４８】
第１リード２１０は、ｙ方向を長手方向とする略矩形状であり、表面２１１および裏面２１２を有している。表面２１１は、ＬＥＤ集合体３００を直接支持する面として用いられる。第１リード２１０のｙ方向中心は、ＬＥＤモジュール１０１のｙ方向中心である中心線Ｃｙとほぼ一致している。第１リード２１０全体は、ＬＥＤモジュール１０１のｘ方向中心である中心線Ｃｘよりも図中左方に位置している。
【００４９】
図２に示すように、第１リード２１０は、延出部２１５を有している。延出部２１５は、第１リード２１０のうち表面２１１側部分が裏面２１２側部分よりも面内方向であるｘ方向またはｙ方向に延出した部分である。このような延出部２１５は、第１リード２１０を形成する工程において、たとえばコイニング処理を施すことによって好適に形成される。本実施形態においては、延出部２１５は、第１リード２１０のほぼ全周にわたって形成されている。
【００５０】
２つの第１外部端子２４１は、ｙ方向に離間して配置されており、第１リード２１０のｙ方向両端付近に繋がっている。第１リード２１０のうち２つの第１外部端子２４１に隣接する部位には、切り欠き部２１６が形成されている。切り欠き部２１６は、面内方向であるｙ方向に凹んだ部分である。この切り欠き部２１６には、延出部２１５は形成されていなくてよい。
【００５１】
第２リード２２０は、２つの第２外部端子２４２と導通しており、本実施形態においては、２つの第２外部端子２４２と一体的に形成されている。２つの第２外部端子２４２は、たとえばカソード端子として用いられる。なお、第２リード２２０と第２外部端子２４２は、互いに導通する構成であればよく、一体成型されていなくてもよい。
【００５２】
第２リード２２０は、ｙ方向を長手方向とする略矩形状であり、表面２２１および裏面２２２を有している。表面２２１は、ＬＥＤ集合体３００に導通するワイヤ３６０を直接支持する面として用いられる。第２リード２２０のｙ方向中心は、Ｃｙとほぼ一致している。第２リード２２０全体は、中心線Ｃｘよりも図中右方に位置している。
【００５３】
図２に示すように、第２リード２２０は、延出部２２５を有している。延出部２２５は、第２リード２２０のうち表面２２１側部分が裏面２２２側部分よりも面内方向であるｘ方向またはｙ方向に延出した部分である。このような延出部２２５は、第２リード２２０を形成する工程において、たとえばコイニング処理を施すことによって好適に形成される。本実施形態においては、延出部２２５は、第２リード２２０のほぼ全周にわたって形成されている。
【００５４】
２つの第２外部端子２４２は、２つの第１外部端子２４１とは反対側においてｙ方向に離間して配置されており、第２リード２２０のｙ方向両端付近に繋がっている。第２リード２２０のうち２つの第２外部端子２４２に隣接する部位には、切り欠き部２２６が形成されている。切り欠き部２２６は、面内方向であるｙ方向に凹んだ部分である。この切り欠き部２２６には、延出部２２５は形成されていなくてよい。
【００５５】
中間リード２３０は、２つの第１外部端子２４１および２つの第２外部端子２４２のいずれに対しても絶縁されている。中間リード２３０は、ｙ方向を長手方向とする略矩形状であり、表面２３１および裏面２３２を有している。表面２３１は、ＬＥＤ集合体３００を直接支持する面として用いられる。中間リード２３０は、ｘ方向において第１リード２１０および第２リード２２０との間に位置している。中間リード２３０のｙ方向中心は、中心線Ｃｙとほぼ一致している。中間リード２３０のｘ方向図中左端縁は、中心線Ｃｘとほぼ一致している。
【００５６】
中間リード２３０は、２つのブリッジ部２３６を有している。２つのブリッジ部２３６は、互いにｙ方向両側に延びている。図４に示すように、ブリッジ部２３６の先端は、表面２３１および裏面に繋がっており、中間リード２３０のうちブリッジ部２３６以外の部分と同じ厚さとなっている。
【００５７】
図２に示すように、中間リード２３０は、延出部２３５を有している。延出部２３５は、中間リード２３０のうち表面２３１側部分が裏面２３２側部分よりも面内方向であるｘ方向またはｙ方向に延出した部分である。このような延出部２３５は、中間リード２３０を形成する工程において、たとえばコイニング処理を施すことによって好適に形成される。本実施形態においては、延出部２３５は、第１リード２１０のほぼ全周にわたって形成されている。ただし、図３〜図５に示すように、ブリッジ部２３６には、延出部２３５は形成されていない。また、ブリッジ部２３６の根元部分は、ｘ方向両側から２つの延出部２３５によって挟まれている。
【００５８】
保持樹脂体２８０は、第１リード２１０、第２リード２２０および中間リード２３０を保持するものであり、たとえば白色のエポキシ樹脂からなる。保持樹脂体２８０は、第１リード２１０、第２リード２２０および中間リード２３０の一部ずつを覆っている。
【００５９】
保持樹脂体２８０は、リフレクタ２８１を有している。リフレクタ２８１は、たとえば平面視円形の傾斜面である。リフレクタ２８１に囲まれた領域においては、第１リード２１０の表面２１１、第２リード２２０の表面２２１および中間リード２３０の表面２３１の一部ずつが露出している。また、図２に示すように第１リード２１０の裏面２１２、第２リード２２０の裏面２２２および中間リード２３０の裏面２３２は、それぞれのすべてが保持樹脂体２８０から露出している。
【００６０】
図４に示すように、中間リード２３０の２つのブリッジ部２３６は、各々の先端が保持樹脂体２８０から露出している。第１リード２１０の延出部２１５、第２リード２２０の延出部２２５および中間リード２３０の延出部２３５は、いずれも保持樹脂体２８０によって覆われている。２つの第１外部端子２４１および２つの第２外部端子２４２は、いずれも保持樹脂体２８０から露出している。
【００６１】
ＬＥＤ集合体３００は、本実施形態においては、第１ＬＥＤグループ３１０および第２ＬＥＤグループ３２０からなる。第１ＬＥＤグループ３１０は、２つのＬＥＤチップ３１１からなり、第２ＬＥＤグループは、２つのＬＥＤチップ３２１からなる。なお、本発明で言うＬＥＤ集合体を構成するＬＥＤグループの数は、２つに限定されず、３つ以上であってもよい。また、本発明で言うＬＥＤグループを構成するＬＥＤチップの数は、２つに限定されず、３つ以上であってもよい。
【００６２】
図６に示すように、２つのＬＥＤチップ３１１は、底面電極３５１および上面電極３５２を有している。底面電極３５１は、本発明で言うリードに対して導通接合されるものである。上面電極３５２は、本発明で言うリードに繋がるワイヤ３６０がボンディングされるものである。これにより、ＬＥＤチップ３１１は、いわゆる１ワイヤタイプとして構成されている。２つのＬＥＤチップ３２１も同様の構成とされている。また、本実施形態においては、ＬＥＤチップ３１１，３２１は、たとえば赤色光を発する。ただし、ＬＥＤチップ３１１，３２１は、赤色以外の光を発するものであってもよい。
【００６３】
２つのＬＥＤチップ３１１の底面電極３５１は、第１リード２１０の表面２１１に導通接合されている。２つのＬＥＤチップ３１１の上面電極３５２は、ワイヤ３６０を介して中間リード２３０の表面２３１に繋がっている。２つのＬＥＤチップ３１１は、ｘ方向においてほぼ同じ位置にあり、ｙ方向において中心線Ｃｙを挟んで離間配置されている。２つのＬＥＤチップ３１１は、第１リード２１０の表面２１１のうちｘ方向右端寄り部分に搭載されている。２つのＬＥＤチップ３１１の上面電極３５２に一端がボンディングされた２つのワイヤ３６０は、他端が中間リード２３０のうちｘ方向左端寄り部分にボンディングされている。また、これらの２つのワイヤ３６０の上記他端どうしの距離は、２つのＬＥＤチップ３１１どうしの距離よりも大である。このような搭載形態により、２つのＬＥＤチップ３１１は、互いに並列に接続されている。
【００６４】
２つのＬＥＤチップ３２１の底面電極３５１は、中間リード２３０の表面２３１に導通接合されている。２つのＬＥＤチップ３２１の上面電極３５２は、ワイヤ３６０を介して第２リード２２０の表面２２１に繋がっている。２つのＬＥＤチップ３２１は、ｘ方向においてほぼ同じ位置にあり、ｙ方向において中心線Ｃｙを挟んで離間配置されている。２つのＬＥＤチップ３２１は、中間リード２３０の表面２３１のうちｘ方向において右端側に若干偏った位置に搭載されている。２つのＬＥＤチップ３２１の上面電極３５２に一端がボンディングされた２つのワイヤ３６０は、他端が第２リード２２０のうちｘ方向左端寄り部分にボンディングされている。また、これらの２つのワイヤ３６０の上記他端どうしの距離は、２つのＬＥＤチップ３２１どうしの距離とほぼ同じである。また、２つのＬＥＤチップ３２１どうしの距離は、２つのＬＥＤチップ３１１どうしの距離とほぼ同じである。このような搭載形態により、２つのＬＥＤチップ３１１は、互いに並列に接続されている。
【００６５】
第１ＬＥＤグループ３１０および第２ＬＥＤグループ３２０が、上述した搭載形態とされることにより、図７に示すように、第１ＬＥＤグループ３１０および第２ＬＥＤグループ３２０は、互いに直列に接続されている。
【００６６】
透光樹脂体４００は、図２に示すように、保持樹脂体２８０のリフレクタ２８１によって囲まれた領域において、ＬＥＤチップ３１１，３２１を覆っている。透光樹脂体４００は、たとえば透明なエポキシ樹脂またはシリコーン樹脂などからなる。また、透光樹脂体４００は、ＬＥＤチップ３１１，３２１からの光によって励起されることにより、異なる波長の光を発する蛍光物質が透明な樹脂に混入された材質によって形成されていてもよい。
【００６７】
次に、ＬＥＤモジュール１０１の作用について説明する。
【００６８】
本実施形態によれば、たとえば第１ＬＥＤグループ３１０の一方のＬＥＤチップ３１１が不点灯状態になるか、あるいはこのＬＥＤチップ３１１にボンディングされたワイヤが破断しても、他方のＬＥＤチップ３１１は、点灯状態を継続する。また、第２ＬＥＤグループ３２０の２つのＬＥＤチップ３２１も点灯状態を継続する。したがって、ＬＥＤチップ３１１，３２１のいずれか１つが電流分断により不点灯となっても、それ以外のＬＥＤチップ３１１，３２１の点灯状態を継続することができる。また、ＬＥＤモジュール１０１の製造過程において、たとえば第１リード２１０と中間リード２３０とをショートさせる異物が混入した場合、第１ＬＥＤグループ３１０の２つのＬＥＤチップ３１１は不点灯となるものの、第２ＬＥＤグループ３２０の２つのＬＥＤチップ３２１は、点灯状態を継続する。以上より、点灯を妨げる事態が発生しても、ＬＥＤ集合体３００のすべてが不点灯となることを抑制可能である。したがって、たとえば複数のＬＥＤモジュール１０１を用いてブレーキランプに用いられるＬＥＤユニットを構成した場合に、いずれかのＬＥＤモジュール１０１が完全に不点灯となる確率を低くすることができる。これにより、いずれかのＬＥＤチップ３１１，３２１が不点灯であることだけを理由として、上記ＬＥＤユニット全体を交換することを回避することができる。
【００６９】
２つのＬＥＤチップ３１１と２つのＬＥＤチップ３２１とを、ＬＥＤモジュール１０１の中心線Ｃｘ，Ｃｙを挟んで対称配置とすることにより、仮にいずれかのＬＥＤチップ３１１，３２１が不点灯となった場合であっても、ＬＥＤモジュール１０１の輝度が極端に低下してしまうことを回避することができる。
【００７０】
第１リード２１０の裏面２１２、第２リード２２０の裏面２２２、中間リード２３０の裏面２３２を保持樹脂体２８０から露出させることにより、ＬＥＤチップ３１１，３２１からの放熱を促進することができる。第１リード２１０の延出部２１５、第２リード２２０の延出部２２５、中間リード２３０の延出部２３５を設けることにより、第１リード２１０、第２リード２２０、中間リード２３０が保持樹脂体２８０から抜け落ちることを防止することができる。
【００７１】
中間リード２３０は、第１外部端子２４１および第２外部端子２２４に対して絶縁されるものであるため、ＬＥＤ集合体３００を点灯させることを目的としては、保持樹脂体２８０から露出する部分を設ける必要がない。しかし、ブリッジ部２３６を敢えて設けることにより、保持樹脂体２８０との接合強度を高めることができる。ブリッジ部２３６を表面２３１と裏面２３２と繋がる全厚部分とし、これを両側から延出部２３５が挟む構成とすることは、保持樹脂体２８０との接合強度向上に好ましい。
【００７２】
図８および図９は、ＬＥＤモジュール１０１の変形例を示している。図９に示すように、本変形例においては、ＬＥＤチップ３１１は、２つの底面電極３５１を有している。ＬＥＤチップ３２１も同様である。２つの底面電極３５１を有することにより、本変形例のＬＥＤチップ３１１，３２１は、いわゆるフリップチップタイプとして構成されている。
【００７３】
ＬＥＤチップ３１１の一方の底面電極３５１は、第１リード２１０の表面２１１に導通接合されている。ＬＥＤチップ３１１の他方の底面電極３５１は、中間リード２３０の表面２３１に導通接合されている。ＬＥＤチップ３２１の一方の底面電極３５１は、中間リード２３０の表面２３１に導通接合されている。ＬＥＤチップ３２１の他方の底面電極３５１は、第２リード２２０の表面２２１に導通接合されている。なお、本変形例においては、底面電極３５１の導通接合に、異方性導電接合材が用いられている。これに代えて、等方性の導電接合材を用いてもよい。このような変形例であっても、ＬＥＤチップ３１１，３２１の点灯を妨げる事態が発生しても、ＬＥＤ集合体３００のすべてが不点灯となることを抑制可能である。
【００７４】
図１０は、ＬＥＤモジュール１０１の他の変形例を示している。本変形例においては、支持体２００が、絶縁基材２５０および配線パターン２６０からなる。絶縁基材２５０は、絶縁材料からなる板状部材である。絶縁材料としては、セラミックス、ガラスエポキシ樹脂、あるいは絶縁表面処理が施されたアルミなどが挙げられる。絶縁基材２５０は、表面２５１および裏面２５２を有する。裏面２５２は、そのすべてが露出している。
【００７５】
配線パターン２６０は、絶縁基材２５０の表面に形成されており、Ｃｕ，Ａｕ，Ｎｉ、Ａｇなどに代表されるメッキ層によって構成されている。配線パターン２６０は、第１ランド２６１、第２ランド２６２および中間ランド２６３を有する。また、配線パターン２６０の一部が、第１外部端子２６４および第２外部端子２６５を構成している。第１ランド２６１は、上述した例で言う第１リード２１０に相当し、第２ランド２６２は、第２リード２２０に相当し、中間ランド２６３は、中間リード２３０に相当する。第１ＬＥＤグループ３１０を構成するＬＥＤチップ３１１が１ワイヤタイプであると、ＬＥＤチップ３１１は、第１ランド２６１に搭載される。また第２ＬＥＤグループ３２０を構成するＬＥＤチップ３２１が１ワイヤタイプであると、ＬＥＤチップ３２１は、第２ランド２６２に搭載される。
【００７６】
また、本変形例の支持体２００は、枠状樹脂２７０を有している。枠状樹脂２７０は、たとえば白色のエポキシ樹脂からなり、リフレクタ２７１を有している。リフレクタ２７１は、平面視円形状の傾斜面であり、ＬＥＤ集合体３００を囲んでいる。
【００７７】
このような変形例であっても、ＬＥＤチップ３１１，３２１の点灯を妨げる事態が発生しても、ＬＥＤ集合体３００のすべてが不点灯となることを抑制可能である。
【００７８】
図１１〜図１６は、本発明の他の実施形態を示している。なお、これらの図において、上記実施形態と同一または類似の要素には、上記実施形態と同一の符号を付している。
【００７９】
図１１〜図１６は、本発明の第２実施形態に基づくＬＥＤモジュールを示している。本実施形態のＬＥＤモジュール１０２は、３つのＬＥＤ集合体３００Ｒ，３００Ｇ，３３０Ｂを備えている。また、３つのＬＥＤ集合体３００Ｒ，３００Ｇ，３３０Ｂを備えることに対応して、第１リード２１０Ｒ、第２リード２２０Ｒ、中間リード２３０Ｒと第１リード２１０Ｇ、第２リード２２０Ｇ、中間リード２３０Ｇと、第１リード２１０Ｂ、第２リード２２０Ｂ、中間リード２３０Ｂと、を備えている。また、ＬＥＤモジュール１０２は、いわゆるサイドビュータイプとして構成されている。
【００８０】
ＬＥＤ集合体３００Ｒは、第１ＬＥＤグループ３１０Ｒおよび第２ＬＥＤグループ３２０Ｒからなる。第１ＬＥＤグループ３１０Ｒは、２つのＬＥＤチップ３１１Ｒによって構成されており、第２ＬＥＤグループ３２０Ｒは、２つのＬＥＤチップ３２１Ｒによって構成されている。ＬＥＤチップ３１１Ｒ，３２１Ｒは、上述したＬＥＤチップ３１１，３２１と同様の構成である。本実施形態においては、ＬＥＤチップ３１１Ｒ，３２１Ｒは、赤色光を発する。
【００８１】
第１リード２１０Ｒ、第２リード２２０Ｒ、および中間リード２３０Ｒは、それぞれがｙ方向を長手方向とする略帯状であり、ｘ方向に離間配置されている。第１リード２１０Ｒには、屈曲部を介して第１外部端子２４１Ｒが繋がっている。第２リード２２０Ｒには、屈曲部を介して第２外部端子２４２Ｒが繋がっている。第１リード２１０Ｒの表面２１１Ｒ、第２リード２２０Ｒの表面２２１Ｒ、および中間リード２３０Ｒの表面２３１Ｒは、いずれもそのほとんどが保持樹脂体２８０から露出している。第１リード２１０Ｒの裏面２１２Ｒ、第２リード２２０Ｒの裏面、および中間リード２３０Ｒの裏面２３２Ｒは、いずれもそのほとんどが保持樹脂体２８０に覆われている。中間リード２３０Ｒには、ブリッジ部２３６Ｒが形成されている。ブリッジ部２３６Ｒの先端は、保持樹脂体２８０から露出している。
【００８２】
第１ＬＥＤグループ３１０Ｒの２つのＬＥＤチップ３１１Ｒは、第１リード２１０Ｒの表面２１１Ｒに導通接合されており、ワイヤ３６０を介して中間リード２３０Ｒの表面２３１Ｒに接続されている。第２ＬＥＤグループ３２０Ｒの２つのＬＥＤチップ３２１Ｒは、中間リード２３０Ｒの表面２３１Ｒに導通接合されており、ワイヤ３６０を介して第２リード２２０Ｒの表面２２１Ｒに接続されている。
【００８３】
ＬＥＤ集合体３００Ｇは、第１ＬＥＤグループ３１０Ｇおよび第２ＬＥＤグループ３２０Ｇからなる。第１ＬＥＤグループ３１０Ｇは、２つのＬＥＤチップ３１１Ｇによって構成されており、第２ＬＥＤグループ３２０Ｇは、２つのＬＥＤチップ３２１Ｇによって構成されている。ＬＥＤチップ３１１Ｇは、図１５に示すように、２つの上面電極３５２を有しており、いわゆる２ワイヤタイプとして構成されている。ＬＥＤチップ３２１Ｇも同様である。ＬＥＤチップ３１１Ｇ，３２１Ｇは、緑色光を発する。
【００８４】
第１リード２１０Ｇ、第２リード２２０Ｇ、および中間リード２３０Ｇは、それぞれがｙ方向を長手方向とする略帯状であり、ｘ方向に離間配置されている。第１リード２１０Ｇには、屈曲部を介して第１外部端子２４１Ｇが繋がっている。第２リード２２０Ｇには、屈曲部を介して第２外部端子２４２Ｇが繋がっている。第１リード２１０Ｇの表面２１１Ｇ、第２リード２２０Ｇの表面２２１Ｇ、および中間リード２３０Ｇの表面２３１Ｇは、いずれもそのほとんどが保持樹脂体２８０から露出している。第１リード２１０Ｇの裏面、第２リード２２０Ｇの裏面２２２Ｇ、および中間リード２３０Ｇの裏面２３２Ｇは、いずれもそのほとんどが保持樹脂体２８０に覆われている。中間リード２３０Ｇには、ブリッジ部２３６Ｇが形成されている。ブリッジ部２３６Ｇの先端は、保持樹脂体２８０から露出している。
【００８５】
第１ＬＥＤグループ３１０Ｇの２つのＬＥＤチップ３１１Ｇは、第１リード２１０Ｇの表面２１１Ｇに接合されている。一方の上面電極３５２は、ワイヤ３６０を介して第１リード２１０Ｇの表面２１１Ｇに接続されている。他方の上面電極３５２は、ワイヤ３６０を介して中間リード２３０Ｇの表面２３１Ｒに接続されている。第２ＬＥＤグループ３２０Ｇの２つのＬＥＤチップ３２１Ｇは、中間リード２３０Ｇの表面２３１Ｇに接合されている。一方の上面電極３５２は、ワイヤ３６０を介して中間リード２３０Ｇの表面２３１Ｇに接続されている。他方の上面電極３５２は、ワイヤ３６０を介して第２リード２２０Ｇの表面２２１Ｇに接続されている。
【００８６】
ＬＥＤ集合体３００Ｂは、第１ＬＥＤグループ３１０Ｂおよび第２ＬＥＤグループ３２０Ｂからなる。第１ＬＥＤグループ３１０Ｂは、２つのＬＥＤチップ３１１Ｂによって構成されており、第２ＬＥＤグループ３２０Ｂは、２つのＬＥＤチップ３２１Ｂによって構成されている。ＬＥＤチップ３１１Ｂ，３２１Ｂは、ＬＥＤチップ３１１Ｇ，３２１Ｇと同様に、２ワイヤタイプとして構成されている。ＬＥＤチップ３１１Ｂ，３２１Ｂは、青色光を発する。
【００８７】
第１リード２１０Ｂ、第２リード２２０Ｂ、および中間リード２３０Ｂは、それぞれがｙ方向を長手方向とする略帯状であり、ｘ方向に離間配置されている。第１リード２１０Ｂには、屈曲部を介して第１外部端子２４１Ｂが繋がっている。第２リード２２０Ｂには、屈曲部を介して第２外部端子２４２Ｂが繋がっている。第１リード２１０Ｂの表面２１１Ｂ、第２リード２２０Ｂの表面２２１Ｂ、および中間リード２３０Ｂの表面２３１Ｂは、いずれもそのほとんどが保持樹脂体２８０から露出している。第１リード２１０Ｂの裏面、第２リード２２０Ｂの裏面、および中間リード２３０Ｂの裏面は、いずれもそのほとんどが保持樹脂体２８０に覆われている。中間リード２３０Ｂには、ブリッジ部２３６Ｂが形成されている。ブリッジ部２３６Ｂの先端は、保持樹脂体２８０から露出している。
【００８８】
第１ＬＥＤグループ３１０Ｂの２つのＬＥＤチップ３１１Ｂは、第１リード２１０Ｂの表面２１１Ｂに接合されている。一方の上面電極３５２は、ワイヤ３６０を介して第１リード２１０Ｂの表面２１１Ｂに接続されている。他方の上面電極３５２は、ワイヤ３６０を介して中間リード２３０Ｂの表面２３１Ｒに接続されている。第２ＬＥＤグループ３２０Ｂの２つのＬＥＤチップ３２１Ｂは、中間リード２３０Ｂの表面２３１Ｂに接合されている。一方の上面電極３５２は、ワイヤ３６０を介して中間リード２３０Ｂの表面２３１Ｂに接続されている。他方の上面電極３５２は、ワイヤ３６０を介して第２リード２２０Ｂの表面２２１Ｂに接続されている。
【００８９】
本実施形態においては、保持樹脂体２８０がｘ方向に延びる直方体形状とされている。第１外部端子２４１Ｒ，２４１Ｇ，２４１Ｂと第２外部端子２４２Ｒ，２４２Ｇ，２４２Ｂは、いずれも保持樹脂体２８０の側面（ｚ方向）に沿っている。
【００９０】
上述した搭載形態とされることにより、ＬＥＤ集合体３００Ｒ，３００Ｇ，３００Ｂは、図１６に示す回路を構成している。第１ＬＥＤグループ３１０Ｒを構成する２つのＬＥＤチップ３１１Ｒが互いに並列に接続されており、第２ＬＥＤグループ３２０Ｒを構成する２つのＬＥＤチップ３２１Ｒが互いに並列に接続されている。第１ＬＥＤグループ３１０Ｒと第２ＬＥＤグループ３２０Ｒとは、互いに直列に接続されている。ＬＥＤ集合体３００Ｇ，３００Ｂも同様である。
【００９１】
このような実施形態によっても、ＬＥＤチップ３１１Ｒ，３２１Ｒ，３１１Ｇ，３２１Ｇ，３１１Ｂ，３２１Ｂの点灯を妨げる事態が発生しても、ＬＥＤ集合体３００Ｒ，３００Ｇ，３００Ｂのいずれかが完全に不点灯となることを抑制可能である。また、ＬＥＤモジュール１０２は、赤色光、青色光、緑色光を個別に発光可能であることから、たとえば遊技機の装飾照明に適している。
【００９２】
本発明に係るＬＥＤモジュールは、上述した実施形態に限定されるものではない。本発明に係るＬＥＤモジュールの各部の具体的な構成は、種々に設計変更自在である。
【００９３】
本発明で言うＬＥＤグループの個数は、２つでもよいし、４つ以上でもよい。本発明で言うＬＥＤグループを構成するＬＥＤチップの個数は、３つ以上であってもよい。ＬＥＤモジュールの用途によっては、１つのＬＥＤグループを互いに異なる光を発する複数のＬＥＤチップによって構成してもよい。
【符号の説明】
【００９４】
１０１，１０２  ＬＥＤモジュール
２００  支持体
２０１  リード
２１０  第１リード
２１１  表面
２１２  裏面
２１５  延出部
２１６  切り欠き部
２２０  第２リード
２２１  表面
２２２  裏面
２２５  延出部
２２６  切り欠き部
２３０  中間リード
２３１  表面
２３２  裏面
２３５  延出部
２３６  ブリッジ部
２４１  第１外部端子
２４２  第２外部端子
２５０  絶縁基材
２５１  表面
２５２  裏面
２６０  配線パターン
２６１  第１ランド
２６２  第２ランド
２６３  中間ランド
２６４  第１外部端子
２６５  第２外部端子
２７０  枠状樹脂
２７１  リフレクタ
２８０  保持樹脂体
２８１  リフレクタ
３００  ＬＥＤ集合体
３１０  第１ＬＥＤグループ
３１１  ＬＥＤチップ
３２０  第２ＬＥＤグループ
３２１  ＬＥＤチップ
３５１  底面電極
３５２  上面電極
３６０  ワイヤ
４００  透光樹脂体
【図１】
0006435031.tif 000002
【図２】
0006435031.tif 000003
【図３】
0006435031.tif 000004
【図４】
0006435031.tif 000005
【図５】
0006435031.tif 000006
【図６】
0006435031.tif 000007
【図７】
0006435031.tif 000008
【図８】
0006435031.tif 000009
【図９】
0006435031.tif 000010
【図１０】
0006435031.tif 000011
【図１１】
0006435031.tif 000012
【図１２】
0006435031.tif 000013
【図１３】
0006435031.tif 000014
【図１４】
0006435031.tif 000015
【図１５】
0006435031.tif 000016
【図１６】
0006435031.tif 000017